(57)【要約】【課題】１本の送り爪で複数の字輪の送りが可能な番号器を提供する。【解決手段】ケース１内に複数個の字輪２と、この字輪２を回動する字輪回転用ギヤと、字輪回転用ギヤを間欠的に回動する送り爪６を収納し、ケース１内部に装着したスライダ４の昇降動に連動する送り爪６の作動により、前記字輪２を間欠的に回動するようにした番号器であって、一の位の字輪回転用ギヤ８ａの一つの歯溝底部に窓孔１０を設けるとともに、この窓孔１０に十の位の字輪回転用ギヤ８ｂの歯上端が露出するように字輪回転用ギヤを同一円周上に重ね、一の位の字輪回転用ギヤ８ａに対応して設けた１本の送り爪６により、窓孔１０に露出した十の位の字輪回転用ギヤ８ｂの歯を一の位の字輪回転用ギヤ８ａといっしょに回動させるようにした。【選択図】図６
2015174257.tif 000002
【特許請求の範囲】
【請求項１】
ケース内に複数個の字輪と、この字輪を回動する字輪回転用ギヤと、字輪回転用ギヤを間欠的に回動する送り爪を収納し、ケース内部に装着したスライダの昇降動に連動する送り爪の作動により、前記字輪を間欠的に回動するようにした番号器であって、
一の位の字輪回転用ギヤの一つの歯溝底部に窓孔を設けるとともに、この窓孔に十の位の字輪回転用ギヤの歯上端が露出するように字輪回転用ギヤを同一円周上に重ね、
一の位の字輪回転用ギヤに対応して設けた１本の送り爪により、窓孔に露出した十の位の字輪回転用ギヤの歯を一の位の字輪回転用ギヤといっしょに回動させるようにしたことを特徴とする番号器。
【請求項２】
一の位の字輪の側面には字輪回転用ギヤが形成されており、十の位の字輪には一の位の字輪の方向に向け延長軸部が突設されているとともに、この延長軸部の端部に字輪回転用ギヤが形成されており、一の位の字輪回転用ギヤの歯と十の位の字輪回転用ギヤの歯が同一円周上で重なる位置関係としてある請求項１に記載の番号器。
【請求項３】
字輪は、円板状の回転子と、この回転子の外周に装着される印字ベルトからなり、前記回転子の外周には逆テーパ状の壁面からなる凹部が形成され、この凹部内に印字ベルトの裏面に設けた凸部が係合してある請求項１または２に記載の番号器。
【請求項４】
字輪の回転軸には、常時は字輪の印字面に密着して覆った状態にあり、押印時には外部側へ跳ね上がった状態となるようにスライダの昇降動に連動して回動する可動式スタンプ台が取り付けてある請求項１〜３のいずれかに記載の番号器。
【請求項５】
ケースの側面には、スライダが上昇した位置を保持するためのロック爪が設けてある請求項１〜４のいずれかに記載の番号器。
【発明の詳細な説明】
【技術分野】
【０００１】
本発明は、１本の送り爪で複数の字輪の送りが可能な字輪送り機構を備えた番号器に関するものである。
【背景技術】
【０００２】
従来から、例えば各種の書類や伝票等に連続的な番号を押印して管理することが広く行われており、このための印字器として、押印する毎に自動的に番号が順次繰り上がっていく番号器が広く利用されている。
【０００３】
従来の番号器としては、例えば特許文献１や特許文献２に示されるように、字輪毎に送り爪が取り付けられているのが普通である。即ち、従来の字輪送り機構は、各字輪の側面に字輪回転用ギヤが一体的に設けられているとともに、この字輪回転用ギヤに係合する送り爪がそれぞれ取り付けられており、一の位の字輪が一回転するとこれに連動して十の位の送り爪が作動して字輪を１個分だけ回転させて繰り上げる構造となっている。以下、百の位、千の位も同様である。
【０００４】
前記のように、従来の番号器ではそれぞれの字輪の側面に字輪回転用ギヤを一体的に設けるとともに、この字輪回転用ギヤに係合する送り爪が各字輪毎に必要であった。この結果、字輪の数と同数の送り爪が必要となり構造が複雑化するという問題や、隣接する字輪同士の間に送り爪を取り付けるための隙間が必要で番号器の幅が大きくなってしまうという問題があった。
【先行技術文献】
【特許文献】
【０００５】
【特許文献１】特開昭５４−１３１４２５号公報
【特許文献２】実公昭２６−５８０５号公報
【発明の概要】
【発明が解決しようとする課題】
【０００６】
本発明は、上記のような問題点を解決して、１本の送り爪で複数の字輪の送りを行うことができ、また隣接する字輪間に送り爪を取り付けるための隙間を確保する必要がなくて幅方向の大きさを極力小さくすることができる番号器を提供することを目的とするものである。
【課題を解決するための手段】
【０００７】
上記課題を解決するためになされた本発明の番号器は、ケース内に複数個の字輪と、この字輪を回動する字輪回転用ギヤと、字輪回転用ギヤを間欠的に回動する送り爪を収納し、ケース内部に装着したスライダの昇降動に連動する送り爪の作動により、前記字輪を間欠的に回動するようにした番号器であって、一の位の字輪回転用ギヤの一つの歯溝底部に窓孔を設けるとともに、この窓孔に十の位の字輪回転用ギヤの歯上端が露出するように字輪回転用ギヤを同一円周上に重ね、一の位の字輪回転用ギヤに対応して設けた１本の送り爪により、窓孔に露出した十の位の字輪回転用ギヤの歯を一の位の字輪回転用ギヤといっしょに回動させるようにしたことを特徴とするものである。
【０００８】
前記一の位の字輪の側面には字輪回転用ギヤが形成されており、十の位の字輪には一の位の字輪の方向に向け延長軸部が突設されているとともに、この延長軸部の端部に字輪回転用ギヤが形成されており、一の位の字輪回転用ギヤの歯と十の位の字輪回転用ギヤの歯が同一円周上で重なる位置関係としてあるものが好ましく、これを請求項２に係る発明とする。
【０００９】
また、前記字輪は、円板状の回転子と、この回転子の外周に装着される印字ベルトからなり、前記回転子の外周には逆テーパ状の壁面からなる凹部が形成され、この凹部内に印字ベルトの裏面に設けた凸部が係合してあるものが好ましく、これを請求項３に係る発明とする。
【００１０】
また、前記字輪の回転軸には、常時は字輪の印字面に密着して覆った状態にあり、押印時には外部側へ跳ね上がった状態となるようにスライダの昇降動に連動して回動する可動式スタンプ台が取り付けてあることが好ましく、これを請求項４に係る発明とする。
【００１１】
また、前記ケースの側面には、スライダが上昇した位置を保持するためのロック爪が設けてあることが好ましく、これを請求項５に係る発明とする。
【発明の効果】
【００１２】
請求項１に係る発明では、一の位の字輪回転用ギヤの一つの歯溝底部に窓孔を設けるとともに、この窓孔に十の位の字輪回転用ギヤの歯上端が露出するように字輪回転用ギヤを同一円周上に重ね、一の位の字輪回転用ギヤに対応して設けた１本の送り爪により、窓孔に露出した十の位の字輪回転用ギヤの歯を一の位の字輪回転用ギヤといっしょに回動させるようにしたので、従来は送り爪を字輪回転用ギヤ毎に設けていたのを１本だけにすることができ、シンプルな構造とすることができ、また、各字輪間に字輪回転用ギヤを設けるスペースを必要としないので、幅方向の大きさを極力小さくすることが可能となる。
【００１３】
請求項２に係る発明では、一の位の字輪の側面には字輪回転用ギヤが形成されており、十の位の字輪には一の位の字輪の方向に向け延長軸部が突設されているとともに、この延長軸部の端部に字輪回転用ギヤが形成されており、一の位の字輪回転用ギヤの歯と十の位の字輪回転用ギヤの歯が同一円周上で重なる位置関係としてあるので、字輪回転用ギヤを一か所に集合させることが可能でシンプルな構造とすることができる。
【００１４】
請求項３に係る発明では、字輪が円板状の回転子と、この回転子の外周に装着される印字ベルトからなり、前記回転子の外周には逆テーパ状の壁面からなる凹部が形成され、この凹部内に印字ベルトの裏面に設けた凸部が係合してあるので、印字ベルトを回転子の外周に正確かつ強固に取り付けることができ、精度の高い印字が行えることとなる。
【００１５】
請求項４に係る発明では、字輪の回転軸には、常時は字輪の印字面に密着して覆った状態にあり、押印時には外部側へ跳ね上がった状態となるようにスライダの昇降動に連動して回動する可動式スタンプ台が取り付けてあるので、印字面に対し自動的にインクの供給を行うことができ、またスタンプ台が跳ね上げ式でありコンパクトな構造とすることができる。
【００１６】
請求項５に係る発明では、ケースの側面には、スライダが上昇した位置を保持するためのロック爪が設けてあるので、使用しない時はスライダを上昇位置に保持してコンパクトな形態とすることができ、優れた取扱い性を発揮することができる。
【図面の簡単な説明】
【００１７】
【図１】本発明の実施の形態を示す斜視図である。
【図２】本発明の実施の形態を示す正面図である。
【図３】本発明の実施の形態を示す平面図である。
【図４】図３におけるＡ−Ａ断面図である。
【図５】図３におけるＢ−Ｂ断面図である。
【図６】本発明の要部を示す斜視図である。
【図７】（ａ）は一の位の回転子の正面図、（ｂ）はその斜視図、（ｃ）は角度を変えた斜視図である。
【図８】（ａ）は十の位の回転子の斜視図、（ｂ）は角度を変えた斜視図である。
【図９】（ａ）は百の位の回転子の斜視図、（ｂ）は角度を変えた斜視図である。
【図１０】字輪の正面図である。
【図１１】スタンプ台を跳ね上げた状態を示す側面図である。
【発明を実施するための形態】
【００１８】
以下に、図面を参照しつつ本発明の好ましい実施の形態を示す。
図１は本発明の実施の形態を示す斜視図、図２はその正面図、図３はその平面図である。また、図４は図３におけるＡ−Ａ断面図、図５はＢ−Ｂ断面図である。
本発明の番号器は、ケース内に複数個の字輪と、この字輪を回動する字輪回転用ギヤと、字輪回転用ギヤを間欠的に回動する送り爪を収納し、ケース内部に装着したスライダの昇降動に連動する送り爪の作動により、前記字輪を間欠的に回動するのを基本的な動作とするものである。
【００１９】
以下、本発明につき図面を参照しつつ説明する。
図において、１は分割式の２部材からなるケースである。２は一の位の字輪２ａ、十の位の字輪２ｂ、百の位の字輪２ｃからなる３連式の字輪で、ケース１内に取り付けられている。３は前記字輪２の回転軸で、３ａ、３ｂはそのリューズであり、回転軸３がケース１に軸支されることで字輪２が回動自在な構造となっている。４はケース内部に装着される枠状のスライダであり、上部にスプリング５が装着されていて、常時は下方に向けて付勢されている。また、スライダ４の底面には押印用の開口部４ａが設けられ、側面には前記回転軸３を案内するためのガイド用長孔４ｂが設けられている。
【００２０】
図６は、本発明の要部を示す斜視図であり、図中６は送り爪である。この送り爪６は、スライダ４の天板４ｃに取り付けられており、ねじりコイルバネ６ａの弾発力で先端の係止部６ｂが常に字輪側へ付勢された状態となっている。なお、前記送り爪６を弾発するのはコイルバネ６ａに限定されるものでなく、その他、樹脂自体の弾性を利用したり他のバネ材を利用する等、目的を達成できれば任意の構成とすることができる。
この送り爪６は、押印時におけるスライダ４の昇降動に連動して昇降動し、前記字輪２を間欠的に回動するものであるが、この点については後述する。
【００２１】
図７〜図９に、一、十、百の位のそれぞれの回転子を示す。７ａは一の位の回転子であり、この側面には一の位の字輪回転用ギヤ８ａが形成されている。また、７ｂは十の位の回転子であり、この側面には前記一の位の字輪２ａの方向に向け延長軸部７ｄが突設されているとともに、この延長軸部７ｄの端部に十の位の字輪回転用ギヤ８ｂが形成されている。更に、７ｃは百の位の回転子である。
なお、各回転子の中心部には回転軸３を挿通するための軸孔９ａ、９ｂ、９ｃが形成されている。図示のものでは、前記一の位の回転子７ａと十の位の回転子７ｂは、回転軸３と係止関係がなく軸の周りを自由に回動する構造となっている。一方、百の位の回転子７ｃは回転軸３と係止関係があって軸の周りを空転することがなく、リューズ３ｂを手で回すと回転軸３とともに百の位の回転子７ｃが回動する構造となっている。
【００２２】
図６に示すように、一の位の字輪回転用ギヤ８ａの一つの歯溝底部には窓孔１０が設けられており、この窓孔１０に十の位の字輪回転用ギヤ８ｂの歯上端が露出するように構成されている。即ち、二つの字輪回転用ギヤ８ａ、８ｂを組み合わせた場合、十の位の字輪回転用ギヤ８ｂが、延長軸部７ｄの長さ分だけ一の位の字輪２ａ側にズレており、一の位の字輪回転用ギヤ８ａの歯と十の位の字輪回転用ギヤ８ｂの歯が同一円周上に重なるように構成されている。この結果、前記窓孔１０から十の位の字輪回転用ギヤ８ｂの歯上端が露出する状態となり、送り爪６の係合部６ｂが当接すると一の位の字輪回転用ギヤ８ａといっしょに十の位の字輪回転用ギヤ８ｂも回動する構造となっている。
つまり、一の位の字輪回転用ギヤ８ａが一回転して窓孔１０から十の位の字輪回転用ギヤ８ｂの歯上端が露出した場合のみ、送り爪６によって十の位の字輪回転用ギヤ８ｂの歯が１個だけ送られて桁上げされることになり、以下、同様の回転動作が繰り返されることで、１から９９まで自動的に字輪の数字が繰り上がる構造となっている。
【００２３】
なお、図示のものでは、リューズ３ｂを手動で回して回転軸３を回動させることにより百の位の字輪２ｃを回し、桁上げを行う構造となっているが、前記十の位の字輪回転用ギヤ８ｂと同様に、送り爪６により自動繰り上げできる構造とすることもできる。この場合は、百の位の回転子７ｃに前記十の位の回転子と同様の延長軸部（図示せず）を突設するとともに、この延長軸部の端部に百の位の字輪回転用ギヤ（図示せず）を形成し、百の位の字輪回転用ギヤを十の位の字輪回転用ギヤ８ｂの歯と同一円周上に重なるように構成する。一方、十の位の字輪回転用ギヤ８ｂの一つの歯溝底部に窓孔（図示せず）を設けて、この窓孔から前記百の位の字輪回転用ギヤの歯が露出するようにすると、送り爪６の係合部６ｂが当接した場合、十の位の字輪回転用ギヤ８ｂといっしょに百の位の字輪回転用ギヤも回動するので、十の位の字輪回転用ギヤ８ｂが一回転する毎に百の位の字輪回転用ギヤを自動的に１個ずつ桁上げすることができる。
この場合には、１から９９９まで自動的に字輪の数字が繰り上がる構造とすることができる。また、同様の構造により、４桁以上の番号器であっても１本の送り爪６のみですべての桁の字輪回転用ギヤを連続して繰り上がるように回動させることができる。
【００２４】
このように、従来は送り爪６を字輪回転用ギヤ毎に設けていたのを、本発明では１本だけにすることができ、シンプルな構造とすることができるうえ、各字輪間に字輪回転用ギヤを設けるスペースを必要としないので、幅方向の大きさを極力小さくすることが可能になり、コンパクトな番号器を提供することができる。
以上の説明では、字輪と字輪回転用ギヤとが一体に形成されたものについて説明したが、字輪回転用ギヤは字輪を回動するものであればよく、例えば、字輪回転用ギヤを字輪とは別に字輪上部に設けたうえ、印字ベルト表面あるいは字輪に設けたギヤと係合させて字輪を回動する構造とすることもできる。
【００２５】
図１０に示すように、前記字輪２は、例えば一の位の字輪２ａを例にとると、円板状の回転子７ａと、この回転子７ａの外周に装着される印字ベルト１１からなり、前記回転子７ａの外周には逆テーパ状の壁面からなる凹部１２が形成され、この凹部１２内に印字ベルト１１の裏面に設けた凸部１３が係合したものとなっている。
これにより、印字ベルト１１を回転子７ａの外周に正確かつ強固に取り付けることができ、精度の高い印字ができることとなる。なお、十の位の字輪２ｂ、百の位の字輪２ｃも同様の構造となっている。
【００２６】
前記字輪２の回転軸３には、常時は字輪２の印字面に密着して該印字面を覆った状態（図１を参照）にあり、押印時には外部側へ跳ね上がった状態（図１１を参照）となるようにスライダ４の昇降動に連動して回動する可動式のスタンプ台１４が取り付けてある。図１及び図１１に示すものでは、スタンプ台１４の前後を２つの平行リンク１５ａ、１５ｂにより連結する一般的な平行リンク構造を用いることで、前記の動作を達成しているが、同様の動作を達成するものであれば、いかなるリンク構造も採用できることは勿論である。
これにより、印字面に自動的にインクの供給を行うことが可能で鮮明な印字を達成することができ、また、スタンプ台１４が跳ね上げ式であるので邪魔になることがなくコンパクトな構造とすることができる。
【００２７】
前記ケース１の側面１ａには、スライダ４が最大に上昇した位置を保持するためのロック爪１６が設けてあり、一方、対応するスライダ４の側面には突起片１７が設けてあって、スライダ４が上昇して突起片１７がロック爪１６を乗り越えると、スライダ４の下方向への動きがストップされて上昇位置が保持される構造となっている。また、前記ロック爪１６の上方にはロック解除用の突起１６ａが設けてあり、この突起１６ａを内側に向けて押すことで前記ロック爪１６と突起片１７の係止を解いてスライダ４を下方に下げることができる構造となっている。
これにより、使用しない時はスライダ４を上昇位置に保持してコンパクトな形態とすることができ、優れた取扱い性を発揮することができる。
【００２８】
以上のように構成した本発明の番号器では、ケース１を押し下げて押印した後は、スプリング５の弾発力によりケース１が自動的に上昇されて次の押印を待機する状態となるが、このケース１の上昇に伴い送り爪６が一の位の字輪回転用ギヤ８ａの歯を１個回動して一の位の数字を一つ桁上げすることになる。
このようにして、一の位の字輪が１〜９まで自動送りされて再び０がくると、歯溝底部に設けた窓孔１０に十の位の字輪回転用ギヤ８ｂの歯上端が露出した状態となる。この場合、送り爪６の係合部６ｂがこの歯溝に当接すると、一の位の字輪回転用ギヤ８ａといっしょに十の位の字輪回転用ギヤ８ｂも回動するので、十の位の数字が一つ桁上げされることとなる。
以下、同様に桁上げが切り返されて、１から９９まで自動的に字輪の数字が繰り上げられることとなる。また百の位以上も、同様の構造として窓孔１０に各位の字輪回転用ギヤの歯上端を露出させれば、１本の送り爪のみで、３桁以上の番号器でも全て自動的に数字の繰り上げを行うことができる。
このように、押印する毎に字輪の数字が繰り上げられ番号器として使用に供されるが、従来のように送り爪を字輪回転用ギヤ毎に設ける必要がなく１本だけにすることができ、シンプルな構造とすることができる。また、各字輪間に字輪回転用ギヤを設けるスペースを必要としないので、幅方向の大きさを極力小さくすることも可能となる。
【符号の説明】
【００２９】
１  ケース
１ａ  側面
２  字輪
２ａ  一の位の字輪
２ｂ  十の位の字輪
２ｃ  百の位の字輪
３  回転軸
３ａ  リューズ
３ｂ  リューズ
４  スライダ
４ａ  押印用の開口部
４ｂ  ガイド用長孔
４ｃ  天板
５  スプリング
６  送り爪
６ａ  ねじりコイルバネ
６ｂ  係合部
７ａ  一の位の回転子
７ｂ  十の位の回転子
７ｃ  百の位の回転子
７ｄ  延長軸部
８ａ  一の位の字輪回転用ギヤ
８ｂ  十の位の字輪回転用ギヤ
９ａ  軸孔
９ｂ  軸孔
９ｃ  軸孔
１０  窓孔
１１  印字ベルト１１
１２  凹部
１３  凸部
１４  スタンプ台
15ａ  リンク
15ｂ  リンク
１６  ロック爪
16ａ  突起
１７  突起片
【図１】
2015174257.tif 000003
【図２】
2015174257.tif 000004
【図３】
2015174257.tif 000005
【図４】
2015174257.tif 000006
【図５】
2015174257.tif 000007
【図６】
2015174257.tif 000008
【図７】
2015174257.tif 000009
【図８】
2015174257.tif 000010
【図９】
2015174257.tif 000011
【図１０】
2015174257.tif 000012
【図１１】
2015174257.tif 000013